(57)【要約】【課題】養殖したアトランティックサーモンなどの魚に関する養殖履歴情報を容易に取得できる情報提供システムを提供する。【解決手段】同じ生け簀で養殖した複数のアトランティックサーモンは、略同じ養殖履歴情報を有している。同じ生け簀で養殖した複数のアトランティックサーモン毎に、リファレンスナンバを割り当てる。リファレンスナンバを打刻したタグを、同じ生け簀で養殖した複数のアトランティックサーモンに取り付ける。利用者が管理業者のホームページにアクセスする。このホームページの入力画面中の該当番号をクリックする。この番号に等しいリファレンスナンバに相当するアトランティックサーモンの養殖履歴情報を、モニタに表示させる。【選択図】　　　　図２
2004102347.tif 000002
【特許請求の範囲】
【請求項１】
ネットワークを介して、養殖水産物に関する品質情報の提供を行う情報提供システムであって、
情報提供希望者からのアクセスに応じて、同じ条件で養殖された、複数の養殖水産物毎に予め割り当てられ、これら複数の養殖水産物のそれぞれに付された同一の番号を入力させるアクセス手段と、
このアクセス手段への前記番号の入力により、この番号に応じた前記養殖水産物に関する品質情報を提供する情報提供手段と
を具備したこと
を特徴とした情報提供システム。
【請求項２】
同じ生け簀で養殖された、複数の養殖水産物毎に同一の番号を割り当てることを特徴とした請求項１に記載の情報提供システム。
【請求項３】
前記同じ条件で養殖された、複数の養殖水産物毎に割り当てられた同一の番号は、
複数の養殖水産物のそれぞれに付されるタグに記載されていること
を特徴とした請求項１又は２に記載の情報提供システム。
【請求項４】
前記品質情報は、
同じ条件で養殖された、複数の養殖水産物に関する養殖履歴情報を有していること
を特徴とした請求項１乃至３のいずれかに記載の情報提供システム。
【請求項５】
前記品質情報は、
養殖水産物の生育環境履歴に関する情報、この養殖水産物に与えた餌に関する情報、この養殖水産物の病歴に関する情報、この養殖水産物の投薬に関する情報およびこの養殖水産物の出荷時の身質に関する情報を有していること
を特徴とした請求項１乃至４のいずれかに記載の情報提供システム。
【発明の詳細な説明】
【０００１】
【発明の属する技術分野】
この発明は、養殖水産物に関する品質情報の取得を、容易にする情報提供システムに関する。
【０００２】
【従来の技術】
従来、アトランチック・サーモン（以下、単に「サーモン」という。）などの養殖水産物は、多数の養殖業者によって養殖され、これら多数の養殖業者によって養殖される養殖水産物は、これら養殖業者毎に、異なる養殖方法によって養殖されているのが一般的である。
【０００３】
このため、養殖業者から出荷された養殖水産物を販売する小売店においては、これらの養殖水産物が、どのような管理下で養殖されているかについての情報、すなわち養殖環境情報などの品質情報を取得することが容易ではない。特に、これら養殖水産物が、どのような餌を用いて養殖されたかや、どのような病歴があり、その際に、どのようなワクチンや抗生物質などの薬が投与されたか等の情報は、健康管理などの観点から、消費者にとっては特に感心のあることである。
【０００４】
【発明が解決しようとする課題】
上述したように、上記サーモンなどの養殖水産物は、多数の養殖業者により異なる養殖方法によって養殖されているので、これら多数の養殖業者から出荷された、養殖水産物を販売する小売店などから購入した養殖水産物の品質情報を、取得することは容易ではないという問題を有している。
【０００５】
この発明は、このような点に鑑みなされたもので、養殖水産物に関する品質情報を、容易に取得できる情報提供システムを提供することを目的とする。
【０００６】
【課題を解決するための手段】
前記の目的を達成するため、この発明の請求項１に記載の発明は、
ネットワークを介して養殖水産物に関する品質情報の提供を行う情報提供システムであって、
情報提供希望者からのアクセスに応じて、同じ条件で養殖された、複数の養殖水産物毎に予め割り当てられ、これら複数の養殖水産物のそれぞれに付された同一の番号を入力させるアクセス手段と、
このアクセス手段への前記番号の入力により、この番号に応じた前記養殖水産物に関する品質情報を提供する情報提供手段と
を具備したこと
を特徴とした情報提供システムである。
【０００７】
前記の情報提供システムにおいては、同じ条件で養殖された複数の養殖水産物は、略同じ品質情報を有しているので、これら同条件で養殖された複数の養殖水産物毎に同じ番号を割り当て、この番号を複数の養殖水産物の全てに付する。
【０００８】
この後、情報提供を希望する者が、ネットワークを介してアクセス手段にアクセスし、養殖水産物に付された番号をアクセス手段に入力することにより、この番号に応じた養殖水産物に関する品質情報が、情報提供手段にて提供される。したがって、情報提供希望者は、番号が付された養殖水産物の品質情報を必要に応じて容易に取得することが可能となる。
【０００９】
また、請求項２に記載の情報提供システムは、
請求項１に記載の情報提供システムにおいて、
同じ生け簀で養殖された、複数の養殖水産物毎に同一の番号を割り当てるものであること
を特徴とするものである。
【００１０】
したがって、同じ生け簀で養殖された複数の養殖水産物は、略同じ品質情報を有しているので、同じ生け簀で養殖された複数の養殖水産物毎に同じ番号を割り当てることにより、これら複数の養殖水産物全ての品質情報を実際に検査などすることなく、これら複数の養殖水産物に関する品質情報を情報提供希望者に容易に取得させることが可能となる。
【００１１】
また、請求項３に記載の情報提供システムは、
請求項１又は２に記載の情報提供システムにおいて、
同じ条件で養殖された、複数の養殖水産物毎に割り当てられた同一の番号は、前記複数の養殖水産物の、それぞれに付されるタグに記載されていること
を特徴とするものである。
【００１２】
そして、同じ条件で養殖された複数の養殖水産物毎に割り当てた同一の番号をタグに記載し、このタグを同じ条件で養殖された複数の養殖水産物の全てに付することにより、これら複数の養殖水産物に、同一番号を直接かつ容易に付することが可能となる。
【００１３】
また、請求項４に記載の情報提供システムは、
請求項１乃至３のいずれか記載の情報提供システムにおいて、
前記品質情報は、
同じ条件で養殖された、複数の養殖水産物に関する養殖履歴情報を有していること
を特徴とするものである。
【００１４】
したがって、同じ条件で養殖された複数の養殖水産物は、略同じ養殖履歴情報を有しているので、この養殖履歴情報を品質情報が有することにより、複数の養殖水産物に関する養殖履歴情報を、情報提供希望者に対して容易に取得させることが可能となるとともに、複数の養殖水産物に関する、養殖履歴情報の提供が容易になる。
【００１５】
さらに、請求項５に記載の情報提供システムは、
請求項１乃至４のいずれか記載の情報提供システムにおいて、
前記品質情報は、
養殖水産物の生育環境履歴に関する情報、この養殖水産物に与えた餌に関する情報、この養殖水産物の病歴に関する情報、この養殖水産物の投薬に関する情報およびこの養殖水産物の出荷時の身質に関する情報を有していること
を特徴とするものである。
【００１６】
したがって、同じ条件で養殖された複数の養殖水産物は、生育環境履歴に関する情報、与えた餌に関する情報、病歴に関する情報、投薬に関する情報、および出荷時の身質に関する情報のそれぞれについて略同じであるので、これらの情報を品質情報が有することにより、これら情報を情報提供希望者に対して容易に取得させることが可能となるとともに、複数の養殖水産物に関するこれら情報の提供が容易になる。
【００１７】
【発明の実施の形態】
以下、この発明の一実施の形態としての、情報提供システムの構成を、図面を参照して説明する。
【００１８】
図１は、この発明に係る情報提供システムの、一実施の形態を示す説明図、図２は、同情報提供システムを示す概略説明図であって、図２において、１は情報提供システムで、この情報提供システム１は、同じ生け簀内において同じ条件で養殖された複数の養殖水産物としての養殖サーモンに関する品質情報（ｐｒｏｄｕｃｔ　ｓｐｅｃｉｆｉｃａｔｉｏｎ）の提供を品質証明として、情報取得希望者（主として、卸市場あるいは卸問屋などの卸業者、小売店あるいは一般消費者などの消費者、すなわち養殖業者、輸出業者および管理業者以外の者）としての利用者に対して、インターネットなどのコンピュータネットワークを介して行うものである。
【００１９】
また、この情報提供システム１は、同じ生け簀で養殖した複数の養殖サーモンを出荷する際に、これら複数の養殖サーモンに対して、同一の番号であるタグナンバとしてのリファレンスナンバ２を予め割り当てて、このリファレンスナンバ２が記載、すなわち打刻された、図５に示す表示手段としてのタグ３を各養殖サーモンに付し、このリファレンスナンバ２の入力に応じて、これら各養殖サーモンに関する品質情報を提供するものである。
【００２０】
ここで、このタグ３は、図５に示すように、略矩形平板状の表示部４を備えたもので、この表示部４の一主面である表面には、図５（ａ）に示すように、あらかじめ契約された、固定の養殖業者を管理する管理業者に関する事項、特にこの管理業者が開設しているホームページのアドレスナンバや、これら養殖業者から出荷された養殖サーモンを輸出する輸出業者に関する事項などが記載されている。
【００２１】
また、このタグ３の表示部４の、他主面である裏面には、図５（ｂ）に示すように、同じ生け簀内で養殖され同時期に水揚げされて出荷される養殖サーモン毎に決定されたリファレンスナンバ２が記載されている。さらに、この表示部４の一端縁における中央部には、平板矢じり状の刺込部５が一体的に形成されたものであって、この刺込部５の両側部には、養殖サーモンに刺し込んだ際に、抜け止めとなる反し部としての抜止部６が設けられている。
【００２２】
一方、情報提供システム１は、ＣＰＵなどのハードウェア、プログラムなどのソフトウェアなどにて構成された、情報提供手段としてのＷｅｂサーバ（ウェブサーバ）１１を備えている。このＷｅｂサーバ１１には、例えば、複数の情報取得希望者としての、エンドユーザである利用者が所有する利用者端末１２が、インターネットなどのコンピュータネットワークを介して接続可能となっているとともに、各養殖業者が所有する複数の養殖業者端末１３が、インターネットなどのコンピュータネットワークを介して接続可能となっている。
【００２３】
さらに、このＷｅｂサーバ１１は、複数の養殖業者端末１３から入力されて送信され、これら複数の養殖業者端末１３を所有する養殖業者から出荷される養殖サーモンに関する品質情報、およびリファレンスナンバ２などの電子データを管理して、これら複数の養殖業者に関するホームページを構築するとともに、更新させる管理端末１４を備えている。
【００２４】
また、この管理端末１４には、この管理端末１４にて管理される電子データやホームページなどを、蓄積して記憶する記憶手段としてのデータベース１５が接続されている。
【００２５】
さらに、このデータベース１５には、複数の利用者端末１２からのインターネットなどの、コンピュータネットワークを介した管理端末１４へのアクセスを可能とする、アクセス手段としてのターミナルサーバ１６が接続されている。
【００２６】
ここで、管理端末１４は、利用者端末１２からのターミナルサーバ１６へのアクセスに応じて、データベース１５に記憶させた養殖サーモンに関する品質情報およびリファレンスナンバ２などの電子データを、このターミナルサーバ１６を介して利用者端末１２へと送信して提供する情報提供手段である。
【００２７】
なお、これら利用者端末１２および養殖業者端末１３は、パーソナルコンピュータや、ＰＤＦ、携帯電話などのインターネットにアクセス可能なものであり、管理端末１４は、管理業者のホームページの、更新や修正が可能なパーソナルコンピュータなどである。
【００２８】
つぎに、サーモンの養殖方法について説明する。
まず、孵化場へと移されたサーモンの親魚は、この孵化場にてしばらくの間、淡水に馴染ませた後、これら親魚中の雌魚から卵が採取されるとともに、これら採取した卵を、親魚中の雄魚を用いて人為的に受精させて受精卵とする。
【００２９】
ついで、これら受精卵は、孵化の時期に差をつけるため、水温の異なるバケットに分けられる。
【００３０】
この後、このバケット内にて孵化した稚魚（フライ）は、このバケット内において２ヶ月程度、これらフライの腹部に蓄えられた栄養によって成長して、降海前の稚魚（パー）となる。
【００３１】
また、これらパーは、養成タンクに移されて、この養成タンク内において７０ｇ〜１００ｇ程度の稚魚（スモルト）になるまで育成された後、海水域の生け簀へと移されて３ｋｇ〜５ｋｇ程度の成魚になるまで、同一の生け簀内で育成される。
【００３２】
このとき、パーから１．５ｋｇの成魚となるまでの間においては、飼育水の塩分濃度を成長に伴って人為的に上昇させて、飼育水を淡水から汽水および海水へと徐々に変化させる。
【００３３】
つぎに、上記情報提供システム１の動作などについて、図１を参照して説明する。
【００３４】
あらかじめ情報提供システム１を利用することを、管理業者と契約した任意の養殖業者が、同じ生け簀内で養殖した養殖サーモンを、同時期、すなわち同じ収穫日に水揚げして出荷する場合には、この同じ生け簀内から、同時期に水揚げされて出荷される養殖サーモン毎に、同一の番号であるリファレンスナンバ２を決める。
【００３５】
同時に、このリファレンスナンバ２と、このリファレンスナンバ２に該当する同じ生け簀内で養殖され、同時期に出荷される養殖サーモンに関する品質情報とのそれぞれを、養殖業者端末１３に入力するとともに、電子データとしてインターネットなどの、コンピュータネットワークを介してＷｅｂサーバ１１の管理端末１４へと送り、データベース１５に蓄積させる。
【００３６】
なお、このリファレンスナンバ２は、他の養殖業者、および自らによって既に使用された全てのリファレンスナンバとは、異なる番号であるとともに、同じ生け簀内で養殖され、同時期に水揚げされて出荷される養殖サーモン毎に決定される番号である。
【００３７】
ついで、このリファレンスナンバ２を、図５に示す、タグ３の表示部４の裏面に記載する。そして、このタグ３を、このタグ３に記載されたリファレンスナンバ２に該当する養殖サーモンの、内蔵および、えらが取り除かれたものや、切り身などの加工品に、刺込部５を刺し込んで取り付ける。
【００３８】
そして、このタグ３が取り付けられた養殖サーモンが、パッキング工場にてパッキングされた後、輸出業者により輸出されるとともに、管理業者である輸入業者により輸入される。
【００３９】
なお、これらパッキング工場および輸出業者は、あらかじめ管理業者との間に契約が交わされており、この契約に応じた品質および衛生管理の下に、パッキング、すなわち梱包あるいは輸出の業務を行う。
【００４０】
さらに、この管理業者である輸入業者により輸入された養殖サーモンは、この輸入業者から卸市場や卸問屋などへと供給された後、これら卸市場や卸問屋などからスーパーマーケットやレストランなどの小売店へと供給される。
【００４１】
この後、これら卸市場、卸問屋、小売店、これら小売店からタグが付された養殖サーモンを購入した一般消費者のいずれかである利用者が、自己が所有する利用者端末１２などからＷＷＷ（Ｗｏｒｌｄ　Ｗｉｄｅ　Ｗｅｂ）プラウザを用いて、タグ３に記載されたホームページのアドレスナンバを入力するなどして、この養殖サーモンを管理する管理業者のホームページにアクセスする。
【００４２】
このとき、利用者端末１２のモニタには、図３に示す、入力画面２１が表示される。そして、この入力画面２１中における、品質情報の取得を所望する養殖サーモンに付されたタグ３に記載されているリファレンスナンバ２と同じ番号が表示されている部分２２をクリックする。
【００４３】
すると、利用者端末１２のモニタには、図４に示す品質情報表示画面２３が表示される。そして、この品質情報表示画面２３には、クリックした番号に等しいリファレンスナンバ２に該当する、養殖サーモンに関する品質情報が表示されている。
【００４４】
ここで、この品質情報表示画面２３には、品質情報として、例えば、同じ生け簀で養殖されたサーモンの生育環境履歴に関する情報、与えた餌に関する情報、病歴に関する情報および投薬に関する情報などの養殖履歴情報や、このサーモンの出荷時における身質に関する情報などが表示されている。
【００４５】
なお、この品質情報表示画面２３には、生育環境履歴に関する情報（ｂｉｏｌｏｇｉｃａｌ　ｐｒｏｄｕｃｔｉｏｎ）として、親魚のストック先（Ｆｉｓｈ　Ｓｔｏｃｋ）、この親魚から採取した卵の入手先、この卵の孵化場およびこの孵化場のライセンスナンバ、スモルトの世代に関する情報、海水投入時期、養殖期間、スモルト時の大きさ、水揚げ時の平均サイズ、養殖業者、この養殖業者のライセンスナンバ、養殖場所、生け簀番号、出荷前の休餌期間、養殖時の海水温度などの情報が表示されている。
【００４６】
また、この品質情報表示画面２３には、与えた餌に関する情報（餌情報）として、給餌期間、餌の製造業者、餌の商品名、餌に含まれる成分、特にはプロテイン、脂質およびＫＨ（炭酸塩硬度）などの量や、色付けのために用いられる発色添加剤であるアスタキサンチンやカンタキサンチンなどの量などの情報である。
【００４７】
さらに、投薬に関する情報（メディカルチェック）としては、スモルト時の薬事処理、その期間、使用したワクチン、その期間、成魚時の薬事処理、およびその期間に関する情報などが表示されている。
【００４８】
さらにまた、この品質情報表示画面２３には、出荷時における身質に関する情報（魚の身質チェック）として、その身の出荷時の日時、その身の属する生け簀での平均サイズ、この生け簀のコードナンバ、脂肪分量、アスタキサンチン量、色合い（ロジェカラー）に関する情報などが表示されているとともに、その他の品質情報として、品種、水揚げ日、パッキング工場、およびこのパッキング工場のライセンスナンバに関する情報などが表示されている。
【００４９】
上述したように、上記一実施の形態によれば、出荷される養殖サーモン一匹毎に、リファレンスナンバを割り当てて、これらリファレンスナンバ、およびこれらリファレンスナンバに対応した養殖サーモン一匹毎の品質情報を、管理業者のホームページに入力し、このホームページ上の該当する番号をクリックすることによって、この番号に等しいリファレンスナンバに対応した養殖サーモンの品質情報を表示させた場合には、出荷される養殖サーモンの数が膨大であるので、管理業者が管理しなければならない、リファレンスナンバおよび品質情報などの情報が膨大となってしまう。
【００５０】
そこで、同じ生け簀内で養殖され、同時期に出荷される複数の養殖サーモンのそれぞれは、一般的に略同じ条件で養殖されているので、これら複数の養殖サーモンのそれぞれは、品質情報、すなわち養殖履歴情報、特に生育環境履歴に関する情報、与えた餌に関する情報、病歴に関する情報、投薬に関する情報のそれぞれについて略同じである。
【００５１】
このため、同じ生け簀内で養殖され、同時期に出荷される複数の養殖サーモン全てを実際に検査などすることなく、これら複数の養殖サーモンの内の、いずれか一匹ないし数匹の身質を検査するだけで、これら複数の養殖サーモンの身質を略知ることができる。
【００５２】
したがって、これら略同じ条件である複数の養殖サーモン毎にリファレンスナンバ２を養殖業者によって割り当て、これら複数の養殖サーモンの全てに、このリファレンスナンバ２が記載されたタグ３を刺し込んで取り付ける。さらに、このリファレンスナンバ２、およびこのリファレンスナンバ２に該当する養殖サーモンに関する品質情報のそれぞれを、養殖業者によって養殖業者端末１３に入力させる。
【００５３】
そして、購入した養殖サーモンに関する品質情報を知りたい利用者が、利用者端末１２から管理業者のホームページにアクセスし、このホームページの入力画面２１中における、該当番号が表示された部分２２を、クリックすることによって、この番号に等しいリファレンスナンバ２が記載された、タグ３が取り付けられた養殖サーモンに関する品質情報が表示された、品質情報表示画面２３が利用者端末１２のモニタに表示される。
【００５４】
この結果、養殖サーモンに関する品質情報を知りたい利用者は、管理業者のホームページの、入力画面２１中の、該当番号が表示された部分２２をクリックするだけで、この番号に等しいリファレンスナンバ２が記載された、タグ３が取り付けられている養殖サーモンに関する品質情報を、必要に応じていつでも事後的かつ容易に取得できる。
【００５５】
よって、利用者が卸市場や卸問屋である場合には、これら養殖サーモンの品質を安心して保証して、小売店や料理店などに供給できるとともに、利用者がレストランや料理店である場合には、これら養殖サーモンを安心して調理して顧客に提供でき、さらに、利用者が一般消費者である場合には、これら養殖サーモンを安心して調理して食することができる。
【００５６】
また、略同じ条件で養殖された複数の養殖サーモンに割り当てられたリファレンスナンバ２をタグ３に記載し、このリファレンスナンバ２が記載されたタグ４を、これら略同じ条件で養殖された、複数の養殖サーモン全てに刺し込んで取り付けたので、これら複数の養殖サーモンにリファレンスナンバ２を直接かつ容易に取り付けることができる。
【００５７】
なお、上記一実施の形態では、養殖業者が決めたリファレンスナンバ２、およびこのリファレンスナンバ２に該当する養殖サーモンに関する品質情報を、養殖業者端末１３からインターネットを介して管理端末に入力させたが、これらリファレンスナンバ２および、品質情報を用紙に記載して、この用紙をファックスにより管理業者に送ることによって、これらリファレンスナンバ２および品質情報を管理業者が、自己が所有する図示しない管理者端末から管理端末１４へと入力させてもよい。また、これらリファレンスナンバ２および品質情報を記載した電子メールを、インターネットかを介して管理業者に送ってもよい。このとき、インターネッットを利用せず、有線あるいは無線による他の通信手段を介して行うようにしてもよい。
【００５８】
また、養殖サーモンに関する品質情報としては、これら養殖サーモンが養殖された海域での海水のｐＨや、ＢＯＤ、ＮＦＲなどの情報であってもよい。
【００５９】
さらに、上記一実施の形態においては、養殖水産物としてサーモンについてのみ説明したが、養殖が可能な魚介類など、例えば、他のサケ・マス類、ハマチ、ブリ、鯛、海老、牡蠣、帆立貝、アワビ、スッポン、ウナギ、鮎、鯉などにおいても対応させて用いることができる。
【００６０】
また、あらかじめ契約した複数の養殖業者から出荷される、養殖サーモンの品質を管理する管理業者を輸入業者と同一にしたが、これら管理業者と輸入業者とを別個にしてもよい。このとき、この輸入業者に関する事項をタグ２の表示部３に記載することもできる。
【００６１】
【発明の効果】
この発明の情報提供システムによれば、同じ条件で養殖された複数の養殖水産物は、略同じ品質情報を有しているので、これら同じ条件で養殖された複数の養殖水産物毎に同じ番号を割り当て、この番号を複数の養殖水産物の全てに付した後、情報提供希望者がネットワークを介してアクセス手段にアクセスし、養殖水産物に付された番号をアクセス手段に入力することにより、この番号に応じた養殖水産物に関する品質情報を情報提供手段にて提供できるから、情報提供希望者は番号が付された養殖水産物の品質情報を必要に応じて容易に取得できる。
【００６２】
また、請求項２に記載の情報提供システムによれば、請求項１記載の情報提供システムの効果に加え、同じ生け簀で養殖された複数の養殖水産物は、略同じ品質情報を有しているので、同じ生け簀で養殖された複数の養殖水産物毎に同じ番号を割り当てることにより、これら複数の養殖水産物全ての品質情報を実際に検査などすることなく、これら複数の養殖水産物に関する品質情報を情報提供希望者に容易に取得させることができる。
【００６３】
また、請求項３に記載の情報提供システムによれば、請求項１又は２に記載の情報提供システムの効果に加え、同じ条件で養殖された複数の養殖水産物毎に割り当てた同一の番号をタグに記載し、このタグを同じ条件で養殖された複数の養殖水産物の全てに付することにより、これら複数の養殖水産物に同一番号を直接かつ容易に付することができる。
【００６４】
また、請求項４に記載の情報提供システムによれば、請求項１乃至３のいずれか記載の情報提供システムの効果に加え、同じ条件で養殖された複数の養殖水産物は、略同じ養殖履歴情報を有しているので、この養殖履歴情報を品質情報が有することにより、複数の養殖水産物に関する養殖履歴情報を情報提供希望者に対して容易に取得させることができるとともに、複数の養殖水産物に関する養殖履歴情報の提供を容易にできる。
【００６５】
さらに、請求項５に記載の情報提供システムによれば、請求項１乃至４のいずれか記載の情報提供システムの効果に加え、同じ条件で養殖された複数の養殖水産物は、生育環境履歴に関する情報、与えた餌に関する情報、病歴に関する情報、投薬に関する情報、および、出荷時の身質に関する情報のそれぞれについて略同じであるので、これらの情報を品質情報が有することにより、これら情報を情報提供希望者に対して容易に取得させることができるとともに、複数の養殖水産物に関するこれら情報の提供を容易にできる。
【図面の簡単な説明】
【図１】この発明の情報提供システムの、一実施の形態を示す説明図である。
【図２】同上情報提供システムを示す概略図である。
【図３】入力画面を示す説明図である。
【図４】品質情報表示画面を示す説明図である。
【図５】タグを示す平面図である。
（ａ）　タグの表面を示す説明図である。
（ｂ）　タグの裏面を示す説明図である。
【符号の説明】
１　　　情報提供システム
１４　　情報提供手段としての管理端末
１６　　アクセス手段としてのターミナルサーバ
【図１】
2004102347.tif 000003
【図２】
2004102347.tif 000004
【図３】
2004102347.tif 000005
【図４】
2004102347.tif 000006
【図５】
2004102347.tif 000007